【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
芳香族ヒドロキシ化合物とカルボニル含有化合物からのビスフェノールの生成を触媒する触媒組成物の製造方法であって、プロトン酸官能基を有する固体酸担体成分に、以下の構造（Ｉ）を有するポリ硫黄メルカプタン促進剤成分を結合する段階を含んでなる方法。
【化１】
2006513848.tif 000001
式中、Ｒ1は正に帯電したアンモニウム官能基、正に帯電したグアニジニウム官能基、正に帯電したホスホニウム官能基及び中性アミンからなる群から選択される官能基であり、
ａは０〜１１であり、
ｂは１〜１１であり、
ｃは１〜１１であり、
ｄは１〜５であり、
Ｘは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｙは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｒ2は、水素、第二脂肪族官能基、第三脂肪族官能基、エステル官能基、カーボネート官能基、及びベンジル性メチレン炭素を介して末端硫黄原子に結合したベンジル系官能基からなる群から選択される１種である。
【請求項２】
前記第三脂肪族官能基が、枝分れ脂肪族官能基及び脂環式官能基からなる群から選択される１種である、請求項１記載の方法。
【請求項３】
前記Ｒ2官能基が、イソプロピル官能基、イソブチル官能基、第三ブチル官能基、第三アミル官能基、シクロペンチル官能基、ベンジル、４−メトキシベンジル官能基、１−メチルシクロヘキシル官能基及びシクロヘキシル官能基からなる群から選択される１種である、請求項１記載の方法。
【請求項４】
芳香族ヒドロキシ化合物とカルボニル含有化合物からのビスフェノールの生成を触媒する触媒組成物の製造方法であって、プロトン酸官能基を有するポリマー樹脂成分に、官能化ピリジンメルカプタン、官能化ベンゾイミダゾールメルカプタン、官能化ベンゾチアゾールメルカプタン及び官能化イミダゾールメルカプタンからなる群から選択される１種以上であるポリ硫黄メルカプタン促進剤成分を結合する段階を含んでなる方法。
【請求項５】
ビスフェノールの生成方法であって、固体酸成分と以下の構造（Ｉ）を有するポリ硫黄メルカプタン促進剤成分とを含む触媒組成物の存在下で芳香族ヒドロキシ化合物をカルボニル含有化合物と反応させる段階を含んでなる方法。
【化２】
2006513848.tif 000002
式中、Ｒ1は正に帯電したアンモニウム官能基、正に帯電したグアニジニウム官能基、正に帯電したホスホニウム官能基及び中性アミンからなる群から選択される官能基であり、
ａは０〜１１であり、
ｂは１〜１１であり、
ｃは１〜１１であり、
ｄは１〜５であり、
Ｘは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｙは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｒ2は、水素、第二脂肪族官能基、第三脂肪族官能基、エステル官能基、カーボネート官能基、及びベンジル性メチレン炭素を介して末端硫黄原子に結合したベンジル系官能基からなる群から選択される１種である。
【請求項６】
ビスフェノールの生成方法であって、プロトン酸官能基を含むポリマー樹脂成分と、官能化ピリジンメルカプタン、官能化ベンゾイミダゾールメルカプタン、官能化ベンゾチアゾールメルカプタン及び官能化イミダゾールメルカプタンからなる群から選択される１種以上であるポリ硫黄メルカプタン促進剤成分とを含む触媒組成物の存在下で芳香族ヒドロキシ化合物をカルボニル含有化合物と反応させる段階を含んでなる方法。
【請求項７】
以下の構造（II）を有するピリジン化合物。
【化３】
2006513848.tif 000003
式中、ｅは０〜１１であり、
ｆは１〜１１であり、
ｇは１〜１１であり、
ｈは１〜５であり、
Ｘは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｙは、炭素原子数１〜１１の線状脂肪鎖、炭素原子数５以上の脂環式環、炭素原子数６以上の芳香族環、炭素原子数３以上の脂環式複素環及び炭素原子数３以上の芳香族複素環からなる群から選択される１種である連結官能基であり、
Ｒ3は、水素、又は炭素原子数４以上の脂肪族官能基、炭素原子数１〜１１のエステル官能基、炭素原子数１〜１１のカーボネート官能基、及びベンジル性メチレン炭素を介して末端硫黄原子に結合した炭素原子数７以上のベンジル系官能基からなる群から選択される１種である硫黄保護官能基であり、Ｒ4、Ｒ5、Ｒ6、Ｒ7及びＲ8からなる群から選択される１以上は[[(Ｘ)eＳ]f[(Ｙ)gＳ−Ｒ3]]鎖であり、[[(Ｘ)eＳ]f[(Ｙ)gＳ−Ｒ3]]鎖でないＲ4、Ｒ5、Ｒ6、Ｒ7及びＲ8は各々独立に、水素、フッ素、臭素、塩素、ヨウ素、ビニル基、ヒドロキシル基、炭素原子数１〜１１のアルコキシ官能基、炭素原子数６以上のアリールオキシ官能基、炭素原子数１〜１１の脂肪族官能基、炭素原子数６以上の芳香族官能基、隣接する環置換基を介してピリジン環と縮合した炭素原子数５以上の脂環式環、及び隣接する環置換基を介してピリジン環と縮合した炭素原子数６以上の芳香族環からなる群から選択される１種である。
【請求項８】
以下の構造（III）を有するベンゾイミダゾール化合物。
【化４】
2006513848.tif 000004
式中、ｉは０〜１１であり、
ｊは１〜１１であり、
ｋは１〜１１であり、
Ｒ9は、水素原子、又は炭素原子数４以上の脂肪族官能基、炭素原子数１〜１１のエステル官能基、炭素原子数１〜１１のカーボネート官能基、及びベンジル性メチレン炭素を介して末端硫黄原子に結合した炭素原子数７以上のベンジル系官能基からなる群から選択される１種である硫黄保護官能基であり、
Ｒ10は、水素、炭素原子数１〜１１の脂肪族カルボニル官能基、炭素原子数１〜１１の脂肪族官能基、炭素原子数７以上の芳香族カルボニル官能基、及び炭素原子数６以上の芳香族官能基からなる群から選択される１種であり、
Ｒ11、Ｒ12、Ｒ13及びＲ14は各々独立に、水素、フッ素、臭素、塩素、ヨウ素、ビニル基、ヒドロキシル基、炭素原子数１〜１１のアルコキシ官能基、炭素原子数６以上のアリールオキシ官能基、炭素原子数１〜１１の脂肪族官能基、炭素原子数６以上の芳香族官能基、隣接する環置換基を介してベンゾイミダゾールアレーン環と縮合した炭素原子数５以上の脂環式環、及び隣接する環置換基を介してベンゾイミダゾールアレーン環と縮合した炭素原子数６以上の芳香族環からなる群から選択される１種である。
【請求項９】
以下の構造（IV）を有するベンゾチアゾール化合物。
【化５】
2006513848.tif 000005
式中、ｌは０〜１１であり、
ｍは１〜１１であり、
ｎは１〜１１であり、
Ｒ15は、水素原子、又は炭素原子数４以上の脂肪族官能基、炭素原子数１〜１１のエステル官能基、炭素原子数１〜１１のカーボネート官能基、及びベンジル性メチレン炭素を介して末端硫黄原子に結合した炭素原子数７以上のベンジル系官能基からなる群から選択される１種である硫黄保護官能基であり、
Ｒ16、Ｒ17、Ｒ18及びＲ19は各々独立に、水素、フッ素、臭素、塩素、ヨウ素、ビニル基、ヒドロキシル基、炭素原子数１〜１１のアルコキシ官能基、炭素原子数６以上のアリールオキシ官能基、炭素原子数１〜１１の脂肪族官能基、炭素原子数６以上の芳香族官能基、隣接する環置換基を介してベンゾチアゾールアレーン環と縮合した炭素原子数５以上の脂環式環、及び隣接する環置換基を介してベンゾチアゾールアレーン環と縮合した炭素原子数６以上の芳香族環からなる群から選択される１種である。
【請求項１０】
以下の構造（Ｖ）を有するイミダゾール化合物。
【化６】
2006513848.tif 000006
式中、ｏは０〜１１であり、
ｐは１〜１１であり、
ｑは１〜１１であり、
Ｒ20は、水素原子、又は炭素原子数４以上の脂肪族官能基、炭素原子数１〜１１のエステル官能基、炭素原子数１〜１１のカーボネート官能基、及びベンジル性メチレン炭素を介して末端硫黄原子に結合した炭素原子数７以上のベンジル系官能基からなる群から選択される１種である硫黄保護官能基であり、
Ｒ21は、水素、炭素原子数１〜１１の脂肪族カルボニル官能基、炭素原子数１〜１１の脂肪族官能基、炭素原子数７以上の芳香族カルボニル官能基、及び炭素原子数６以上の芳香族官能基からなる群から選択される１種であり、
Ｒ22及びＲ23は各々独立に、水素、フッ素、臭素、塩素、ヨウ素、ビニル基、ヒドロキシル基、炭素原子数１〜１１のアルコキシ官能基、炭素原子数６以上のアリールオキシ官能基、炭素原子数１〜１１の脂肪族官能基、炭素原子数６以上の芳香族官能基、隣接する環置換基を介してイミダゾール環と縮合した炭素原子数５以上の脂環式環、及び隣接する環置換基を介してイミダゾール環と縮合した炭素原子数６以上の芳香族環からなる群から選択される１種である。